(57)【特許請求の範囲】
【請求項１】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記上部補強用ステーに支持用構造物を設けると共に、前記下部補強用ステー、もしくはタンク下部の側面に支持用構造物を設け、前記上部補強用ステーの支持用構造物を上部支持点とし、かつ、前記下部補強用ステー、もしくはタンク下部側面の支持用構造物を下部支持点とする第２の遮音板が、前記タンク外面の上，下部補強用ステーと前記遮音板を少なくとも覆うように弾性体を介して配置されていることを特徴とする静止誘導電器。
【請求項２】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記タンク外面の上，下部補強用ステーと前記遮音板を少なくとも覆うように第２の遮音板を設け、該第２の遮音板は上部遮音板と下部遮音板に２分割され、該上部遮音板は上部支持点を上部補強用ステー上部に設けた支持用構造物とすると共に、下部支持点を上部補強用ステー下部に設けた支持用構造物とし、前記下部遮音板は上部支持点を上部補強用ステー下部に設けた支持用構造物とすると共に、下部支持点をタンク側面より張り出した支持構造物とし、かつ、前記第２の遮音板と支持用構造物との間に弾性体が介在されていることを特徴とする静止誘導電器。
【請求項３】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記タンク外面の上，下部補強用ステーと前記遮音板を少なくとも覆うように第２の遮音板を設け、該第２の遮音板は上部遮音板と下部遮音板に２分割され、該上部遮音板は上部支持点を上部補強用ステー上部に設けた支持用構造物とすると共に、下部支持点を下部補強用ステー上部に設けた支持用構造物とし、前記下部遮音板は上部支持点を下部補強用ステー上部に設けた支持用構造物とすると共に、下部支持点をタンク側面より張り出した支持構造物とし、かつ、前記第２の遮音板と支持用構造物との間に弾性体が介在されていることを特徴とする静止誘導電器。
【請求項４】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記タンク外面の上，下部補強用ステーと前記遮音板を少なくとも覆うように第２の遮音板を設け、該第２の遮音板は上部遮音板と中部遮音板、及び下部遮音板に３分割され、該上部遮音板は上部支持点を上部補強用ステー上部に設けた支持用構造物とすると共に、下部支持点を下部補強用ステー下部に設けた支持用構造物とし、前記中部遮音板は上部支持点を上部補強用ステー下部に設けた支持構造物とすると共に、下部支持点を下部補強用ステー上部に設けた支持用構造物とし、前記下部遮音板は上部支持点を下部補強用ステー上部に設けた支持用構造物とすると共に、下部支持点をタンク側面より張り出した支持構造物とし、かつ、前記第２の遮音板と支持用構造物との間に弾性体が介在されていることを特徴とする静止誘導電器。
【請求項５】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記タンク外面の上，下部補強用ステーと前記遮音板を少なくとも覆うように第２の遮音板を設け、該第２の遮音板は上部遮音板と下部遮音板に２分割され、該上部遮音板は上部支持点を上部補強用ステー上部に設けた支持用構造物とすると共に、下部支持点を上部補強用ステー下部に設けた支持用構造物とし、前記下部遮音板は上部支持点を下部補強用ステー下部に設けた支持用構造物とし、かつ、前記第２の遮音板と支持用構造物との間に弾性体が介在されていることを特徴とする静止誘導電器。
【請求項６】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記タンク外面の上，下部補強用ステーと前記遮音板を少なくとも覆うように第２の遮音板を設け、該第２の遮音板は上部遮音板と下部遮音板に２分割され、該上部遮音板は上部支持点を上部補強用ステー上部に設けた支持用構造物とすると共に、下部支持点を下部補強用ステー上部に設けた支持用構造物とし、前記下部遮音板は上部支持点を下部補強用ステー上部に設けた支持用構造物とすると共に、下部支持点を下部補強用ステー下部に設けた支持用構造物とし、かつ、前記第２の遮音板と支持用構造物との間に弾性体が介在されていることを特徴とする静止誘導電器。
【請求項７】
タンク内に静止誘導電器本体を収納すると共に絶縁媒体を封入し、前記タンク外面の上部、及び下部にそれぞれ補強用のステーを設け、該上部補強用ステーと下部補強用ステーとの間に、それぞれの補強用ステーと弾性体を介して遮音板が設置されている静止誘導電器において、
前記タンク外面の上，下部補強用ステーと前記遮音板を少なくとも覆うように第２の遮音板を設け、該第２の遮音板は上部遮音板と中部遮音板、及び下部遮音板に３分割され、該上部遮音板は上部支持点を上部補強用ステー上部に設けた支持用構造物とすると共に、下部支持点を下部補強用ステー下部に設けた支持用構造物とし、前記中部遮音板は上部支持点を上部補強用ステー下部に設けた支持構造物とすると共に、下部支持点を下部補強用ステー上部に設けた支持用構造物とし、前記下部遮音板は上部支持点を下部補強用ステー上部に設けた支持用構造物とすると共に、下部支持点を下部補強用ステー下部に設けた支持構造物とし、かつ、前記第２の遮音板と支持用構造物との間に弾性体が介在されていることを特徴とする静止誘導電器。
【請求項８】
前記支持構造物は、上，下部補強用ステー、及びタンクとは性能確認試験時には着脱可能に締結部材で固定され、一方、現地においては恒久的な締結手段で固定されていることを特徴とする請求項２から７のいずれかに記載の静止誘導電器。
【請求項９】
前記支持用構造物と上，下部補強用ステー、及びタンクとの着脱可能な締結部材での固定は、前記支持用構造物と上，下部補強用ステー、及びタンクのそれぞれに締結用金具を設け、それぞれに設けられた締結用金具同志をボルトで固定するものであり、前記恒久的な締結手段での固定は、前記支持用構造物と上，下部補強用ステー、及びタンクのそれぞれを溶接固定するものであることを特徴とする請求項８記載の静止誘導電器。
【発明の詳細な説明】
【０００１】
【発明の属する技術分野】
本発明は静止誘導電器に係り、例えば変圧器やリアクトルの如く、電器本体から発生する騒音を低減すべくタンク外面に遮音板を配置しているものに好適な静止誘導電器に関する。
【０００２】
【従来の技術】
近年のように、都市部の拡大によって住宅地が変電所等に近接して建設されるようになるに伴い、変圧器・リアクトル等の静止誘導電器に対する低騒音化の要求が強くなってきた。
【０００３】
静止誘導電器の騒音は、電器本体の鉄心で発生する騒音と、冷却器の送風機や送油ポンプなどの補機から発生する騒音とに分けられ、このうち、鉄心の磁歪による電磁振動が絶縁油，ガス等の絶縁媒体を介してタンクに伝達し、タンクの振動により騒音となり外部へ放射されるが、その電磁振動による騒音のエネルギーが静止誘導電器全体の騒音の中で大きな比率を占めており、これを防ぐために種々の防止策がとられている。
【０００４】
例えば、静止誘導電器をコンクリートや鉄板でつくられた防音建屋により遮音あるいは吸音する方式や、タンクから放射する騒音を簡単に低減するための対策として、タンクの外面に配置される補強ステー間に遮音板を取付ける方式がある。
【０００５】
図１２は、コンクリートや鉄板の防音建屋により静止誘導電器の騒音を遮音あるいは吸音する方式を示したものである。
【０００６】
該図において、１はタンクで、このタンク１の内部には鉄心６、及びこの鉄心６に巻回された巻線７で構成される電器本体５が収納されると共に、電器本体５を冷却するための絶縁油やガス等の絶縁媒体８が充填されている。２はタンク１を形成する側板で、この側板２には、側板２の強度を補強するために上部補強用ステー３と下部補強用ステー４が固着されている。
【０００７】
このように構成される静止誘導電器においては、鉄心６を励磁すると、この鉄心６に電磁振動が発生する。この電磁振動は非圧縮性に近い特性を持つ絶縁媒体８によりほとんど減衰することなくタンク１に伝達され、タンク１が騒音を発生する。この騒音を低減するため、タンク１を囲むようにコンクリートや鉄板の防音建屋９を建築し、タンク１より放射される騒音を遮音あるいは吸音している。また、図１３に示す例は、タンク１から放射する騒音を低減するために、タンク１の外面に配置される上部補強用ステー３と下部補強用ステー４との間に遮音板を取付ける方式であり、この方式は、タンク１の側板２の強度を補強するため側板２に固着される上部補強用ステー３と下部補強用ステー４によって囲まれる空間に、弾性体としての薄鋼板１０を介して制振鋼板からなる遮音板１１を取付けて、薄鋼板１０のバネ要素としての弾性効果および制振鋼板の制振作用によりタンク１より放射される騒音を低減している。
【０００８】
【発明が解決しようとする課題】
しかしながら、上述した静止誘導電器をコンクリートや鉄板の防音建屋９により遮音、あるいは吸音する方式では、コンクリートや鉄板を立てるための基礎を打つ必要があり、静止誘導電器の据付面積の増大や製作費の上昇および工事期間の長期化など様々な欠点がある。また、タンク１の外面に配置される上，下部補強用ステー３，４間に遮音板１１を取付ける方式では、遮音板１１を取付ける面積が十分に確保できないため、騒音が十分に低減できないという欠点がある。
【０００９】
本発明は上述の点に鑑みなされたもので、その目的とするところは、コンクリートや鉄板等の防音建屋における据付面積の増大や製作費の上昇，工事期間の長期化等の問題がなく、遮音板を取付ける面積を十分に確保して騒音を十分に低減することのできる静止誘導電器を提供することにある。
【００１０】
【課題を解決するための手段】
本発明は上記目的を達成するために、従来から用いられてきたタンクの外面に配置される上，下部補強用ステー間に遮音板を取付ける方式に加えて、この遮音板と上，下部補強用ステーを少なくとも覆うように第２の遮音板を設けたことを特徴とする。
【００１１】
この第２の遮音板は、上部支持点を上部補強用ステーに設けた支持用構造物とし、下部支持点を下部補強用ステー、もしくはタンク側面に設けた支持用構造物として、各支持部と遮音板との間を弾性体（薄鋼板）によって接続されていることを特徴とする。
【００１２】
これにより、従来用いてきた上，下部補強用ステー間に取付ける遮音板の効果に加え、第２の遮音板でタンク外側面をほぼ全面にわたって覆うことで、遮音量が大幅に向上することは勿論、基礎とは独立して遮音効果の高い第２の遮音板を設けることにより、静止誘導電器の据付面積の増大や製作費の上昇および工事期間の長期化などといった問題を生じることなく大きな騒音の低減量を得ることができる。また、第２の遮音板は、タンクに設けた上，下部補強用ステー等を支持部として更に外側へ張り出す構造となっているので、そのまま全装状態で輸送した場合には、変圧器・リアクトルタンクの輸送制限に大きく影響を与えることになる。そのため本発明では、性能確認試験時には支持部と本体とを、それぞれより突設して設けた締付用金具をボルト等の部材により着脱可能に締結することで本来の性能が発揮できるようにし、現地においては、恒久的な状態として支持部と本体側とを溶接することができるようにしたので、性能確認試験が終わった後には、本体と遮音板とを別々に輸送することができ、輸送制限にも対応できる。
【００１３】
【発明の実施の形態】
以下、図示した実施例に基づいて本発明の静止誘導電器を説明する。尚、符号は従来と同一のものは同符号を使用する。
【００１４】
図１は本発明の第１の実施例を示す。本実施例の概略構成は従来のものとほとんど同様なのでここでの詳細説明は省略し、本実施例に関連する部分の説明とする。
【００１５】
図１に示す本実施例は、上部補強用ステー３の上部に枠状（Ｕ字状）の支持用構造物１３を設けると共に、タンク１の側板２の下部に、側板２より張り出した枠状（Ｕ字状）の支持用構造物１５を設け、この上部補強用ステー３に設けられた支持用構造物１３を上部支持点とし、タンク１の側板２から突出して設けられた支持用構造物１５を下部支持点とする制振鋼板からなる遮音板１２が、タンク１の外面を覆うように（上，下部補強用ステー３，４、遮音板１１を少なくとも覆うように）設けられている。
【００１６】
図２は本発明の第２の実施例を示す。図１に示した第１の実施例との相違点は、下部支持点を下部補強用ステー４の下部に取付けられた枠状の支持用構造物
１７として、弾性体としての薄鋼板１８を介して遮音板１２を取付けた点である。その他の構成は図１に示したものと同様である。
【００１７】
図３は本発明の第３の実施例を示す。図１に示した第１の実施例との相違点は、遮音板を上部遮音板１９と下部遮音板２０に２分割して配置し、上部遮音板
１９は、上部補強用ステー３の上部に取付けられた枠状の支持用構造物１３と上部補強用ステー３の下部に取付けられた支持部材２１に弾性体としての薄鋼板
１４，２２を介して支持されており、下部遮音板２０は、支持部材２１とタンク１の側板２の下部より張り出した枠状の支持用構造物１５に弾性体としての薄鋼板２２，１６を介して支持されている点である。
【００１８】
図４は本発明の第４の実施例を示す。図１に示した実施例との相違点は、遮音板を上部遮音板１９と下部遮音板２０に２分割して配置し、上部遮音板１９は、上部補強用ステー３の上部に取付けられた枠状の支持用構造物１３と下部補強用ステー４の上部に取付けられた支持部材２１に弾性体としての薄鋼板１４，２２を介して支持されており、下部遮音板２０は、支持部材２１とタンク１の側板２の下部より張り出した支持用構造物１５に弾性体としての薄鋼板２２，１６を介して支持されている点である。
【００１９】
図５は本発明の第５の実施例を示す。図１に示した実施例との相違点は、遮音板を上部遮音板２５と中部遮音板２６、及び下部遮音板２７に３分割して配置し、上部遮音板２５は上部補強用ステー３の上部に取付けられた枠状の支持用構造物１３と上部補強用ステー３の下部に取付けられた支持部材２１に弾性体としての薄鋼板１４，２２を介して、中部遮音板２６は支持部材２１と下部補強用ステー４の上部に取付けられた支持部材２３に弾性体としての薄鋼板２４を介して、下部遮音板２７は支持部材２３とタンク１の側板２の下部より張り出した支持用構造物１５に弾性体としての薄鋼板２４，１６を介して支持されている点である。
【００２０】
図６は本発明の第６の実施例を示す。図２に示す第２の実施例との相違点は、遮音板を上部遮音板１９と下部遮音板２０に２分割して配置し、上部遮音板１９は、上部補強用ステー３の上部に取付けられた枠状の支持用構造物１３と上部補強用ステー３の下部に取付けられた支持部材２１に弾性体としての薄鋼板１４，２２を介して支持され、下部遮音板２０は支持部材２１と下部補強用ステー４の下部に取付けられた枠状の支持用構造物１７に弾性体としての薄鋼板２２，１８を介して支持されている点である。
【００２１】
図７は本発明の第７の実施例である。図２に示した第２の実施例との相違点は、遮音板を上部遮音板１９と下部遮音板２０に２分割して配置し、上部遮音板
１９は、上部補強用ステー３の上部に取付けられた枠状の支持用構造物１３と下部補強用ステー４の上部に取付けられた支持部材２１に弾性体としての薄鋼板
１４，２２を介して支持され、下部遮音板２０は支持部材２１と下部補強用ステー４の下部に取付けられた枠状の支持用構造物１７に弾性体としての薄鋼板２２，１８を介して支持されている点である。
【００２２】
図８は本発明の第８の実施例を示す。図２に示した実施例との相違点は、遮音板を上部遮音板２５と中部遮音板２６、及び下部遮音板２７に３分割して配置し、上部遮音板２５は、上部補強用ステー３の上部に取付けられた枠状の支持用構造物１３と上部補強用ステー３の下部に取付けられた支持部材２１に弾性体としての薄鋼板１４，２２を介して、中部遮音板２６は支持部材２１と下部補強用ステー４の上部に取付けられた支持部材２３に弾性体としての薄鋼板２２，２４を介して、下部遮音板２７は支持部材２３と下部補強用ステー４の下部に取付けられた枠状の支持用構造物１７に弾性体としての薄鋼板２４，１８を介して支持されている点である。
【００２３】
次に、上述した各実施例における遮音板の支持構造について図９，図１０，図１１を用いて説明する。図９は上部における遮音板の支持構造を、図１０、及び図１１は下部における遮音板の支持構造を示す。
【００２４】
上述した図１から図８に示した実施例においては、上部の支持用構造物１３および下部支持用構造物１５，１７と変圧器のタンク２側の支持部の間に、締結用の金具２８をそれぞれ支持用構造物と変圧器タンク側に設けて、性能確認試験時には締結用の金具２８をボルトなどの締付け部材２９によって隙間部からの漏音が無いように締結し、現地への輸送時にはこの遮音板を取外して、本体とは別に一つのユニットとして輸送できるようにして、現地における恒久的な状態とするためには支持用構造物１３および１５，１７と変圧器タンク側の支持部との接合部３０を溶接固定することができるようにしている。
【００２５】
このように本実施例のような構成とすることにより、従来用いてきたタンクの外面に配置される補強ステー間に遮音板を取付ける方式に加えて、上部支持点を上部補強用ステーに設けた支持用構造物とし、下部支持点を下部補強用ステー、もしくはタンク側面に設けた支持用構造物として、各支持部と遮音板との間を弾性体としての薄鋼板によって接続することにより、従来用いてきた補強ステー間に取付ける遮音板の効果に加え、タンク外側面をほぼ全面にわたって覆うことで、遮音量が大幅に向上することと、基礎とは独立して遮音効果の高い遮音板を設けることにより、静止誘導電器の据付面積の増大や製作費の上昇および工事期間の長期化などといった問題を生じることなく大きな騒音の低減量を得ることができ、また、遮音板を着脱可能としたことで、遮音板の取付けによって鉄道などの輸送時における輸送制限に影響することがないといった、多くの付加価値を持った静止誘導電器とすることができる。
【００２６】
【発明の効果】
以上説明した本発明の静止誘導電器によれば、コンクリートや鉄板等の防音建屋における据付面積の増大や製作費の上昇，工事期間の長期化等の問題がなく、遮音板を取付ける面積を十分に確保して騒音を十分に低減することのできる静止誘導電器を提供することができる。
【図面の簡単な説明】
【図１】本発明の第１の実施例を示す静止誘導電器の断面図である。
【図２】本発明の第２の実施例を示す静止誘導電器の断面図である。
【図３】本発明の第３の実施例を示す静止誘導電器の断面図である。
【図４】本発明の第４の実施例を示す静止誘導電器の断面図である。
【図５】本発明の第５の実施例を示す静止誘導電器の断面図である。
【図６】本発明の第６の実施例を示す静止誘導電器の断面図である。
【図７】本発明の第７の実施例を示す静止誘導電器の断面図である。
【図８】本発明の第８の実施例を示す静止誘導電器の断面図である。
【図９】本発明の各実施例に採用される遮音板上部の支持構造を示す部分斜視図である。
【図１０】本発明の各実施例に採用される遮音板下部の支持構造を示す部分斜視図である。
【図１１】本発明の各実施例に採用される遮音板下部の支持構造を示す部分斜視図である。
【図１２】従来の遮音構造の例を示す静止誘導電器の断面図である。
【図１３】従来の遮音構造の他の例を示す静止誘導電器の断面図である。
【符号の説明】
１…タンク、２…側板、３…上部補強用ステー、４…下部補強用ステー、５…電器本体、６…鉄心、７…巻線、８…絶縁媒体、９…防音建屋、１０，１４，１６，１８，２２，２４…薄鋼板、１１，１２…遮音板、１３…上部支持用構造物、１５，１７…下部支持用構造物、１９，２５…上部遮音板、２０，２７…下部遮音板、２１，２３…支持部材、２６…中部遮音板、２８…締結用の金具、２９…締付け部材、３０…接合部。
【図１】
0003651312.tif 000002
【図２】
0003651312.tif 000003
【図３】
0003651312.tif 000004
【図４】
0003651312.tif 000005
【図５】
0003651312.tif 000006
【図６】
0003651312.tif 000007
【図７】
0003651312.tif 000008
【図８】
0003651312.tif 000009
【図９】
0003651312.tif 000010
【図１０】
0003651312.tif 000011
【図１１】
0003651312.tif 000012
【図１２】
0003651312.tif 000013
【図１３】
0003651312.tif 000014